(57)【特許請求の範囲】
【請求項１】
開き襖の把手として利用される建具金物であって、該把手は、平面視略矩形状の座板部と、該座板部より前方へ突出した部分球状の把手部とを具備し、該把手部は座板部よりも前方へ突出し、部分球状の内部を側部方向から刳った形状として、手の指を挿入する為の挿入穴を形成し、該把手部は、挿入穴の開口部に向かうほど肉厚を薄くし、該把手部と正面視において重複する部分の座板部も、挿入穴の開口部に向かうほど肉厚を薄くし、該挿入穴は、開口部に対して奥部は小さくなるように構成し、該挿入穴の上下幅は大人の手で三本の指が挿入できるような大きさとし、該挿入穴に三本の指を挿入し、該挿入穴に入れる三本の指は人差し指、中指及び薬指であり、これらの指を挿入穴に挿入して、親指で把手部の外表面を押さえて、把手部を掴む状態としたことを特徴とする開き襖の建具金物。
【請求項２】
請求項１記載の開き襖の建具金物において、前記座板部の背面に、内部に雌螺子を形成した突出体を設け、該突出体は座板部の背面側から垂直方向に突出した複数の円柱状とし、該突出体の内部には雌螺子を切り、該把手を取り付ける開き襖には、突出体に対応する位置に、開き襖の表面側から取付孔を穿設し、該取付孔に突出体を挿入し、開き襖の裏面側からボルトを螺入し、固定することを特徴とする開き襖の建具金物。
【請求項３】
請求項１記載の開き襖の建具金物において、前記把手部と座板部とを一体的に成形したことを特徴とする開き襖の建具金物。
【発明の詳細な説明】
【０００１】
【発明の属する技術分野】
本発明は、建具金物に関し、特に、開き戸や開き襖等に設けられる把手の構造に関する。
【０００２】
【従来の技術】
従来、日本古来の伝統的和室における開き襖は仏間等に多く採用され、この場合は仏間独特の房が付けられた形状の把手となっている。この把手を簡略化したものが物入や押入等の造り付け収納に設けられる開き襖に採用されている。
【０００３】
そして、和室の引き違い襖や引き襖等に設けられている引き手と、造り付け収納等に設けられる開き襖等の把手とは、機能が異なるため別用途のものと認識され、各々に異なるデザインが施されている。すなわち、元来別々に異なるものとして考えられており、これらの形状を統一したり、似たデザインのものとしたりすることがなかったのである。その一例を挙げると、和室に設けられた引き襖等に設けられた引き手の一般的な形状は、図１１に示す周囲にリブが形成された矩形状のもの（３０）や、図１２に示す周囲にリブが形成された円形状のもの（３１）である。これに対し、同様に和室に設けられた開き襖等の把手の一般的な形状は、図１３に示す上下に長尺のもの（３２）であり、前述の引き手（３０・３１）とは形状が大きく異なる。
【０００４】
【発明が解決しようとする課題】
上述の如く、把手と引き手は機能が異なるため別々のデザイン・形状とされることが多く、和室一室の中に大幅に形状の異なる引き手と把手が混在しており、統一性に欠け、和室としてのコーディネートに乏しい。そこで、本発明では引き違い襖や引き襖等に設けられる引き手とコーディネートし易く、且つ、機能的な把手の構造を提案する。
【０００５】
【課題を解決するための手段】
本発明の解決しようとする課題は以上の如くであり、次にこの課題を解決するための手段を説明する。
【０００６】
請求項１においては、開き襖の把手として利用される建具金物であって、該把手は、平面視略矩形状の座板部と、該座板部より前方へ突出した部分球状の把手部とを具備し、該把手部は座板部よりも前方へ突出し、部分球状の内部を側部方向から刳った形状として、手の指を挿入する為の挿入穴を形成し、該把手部は、挿入穴の開口部に向かうほど肉厚を薄くし、該把手部と正面視において重複する部分の座板部も、挿入穴の開口部に向かうほど肉厚を薄くし、該挿入穴は、開口部に対して奥部は小さくなるように構成し、該挿入穴の上下幅は大人の手で三本の指が挿入できるような大きさとし、該挿入穴に三本の指を挿入し、該挿入穴に入れる三本の指は人差し指、中指及び薬指であり、これらの指を挿入穴に挿入して、親指で把手部の外表面を押さえて、把手部を掴む状態としたものである。
【０００７】
請求項２においては、請求項１記載の開き襖の建具金物において、前記座板部の背面に、内部に雌螺子を形成した突出体を設け、該突出体は座板部の背面側から垂直方向に突出した複数の円柱状とし、該突出体の内部には雌螺子を切り、該把手を取り付ける開き襖には、突出体に対応する位置に、開き襖の表面側から取付孔を穿設し、該取付孔に突出体を挿入し、開き襖の裏面側からボルトを螺入し、固定するものである。
【０００８】
請求項３においては、請求項１記載の開き襖の建具金物において、前記把手部と座板部とを一体的に成形したものである。
【０００９】
【発明の実施の形態】
次に、発明の実施の形態を説明する。
図１は本発明に係る把手の全体的な構成を示した正面図、図２は同じく図１におけるＸ−Ｘ矢視断面図、図３は同じく右側面図、図４は同じく斜視図である。
【００１０】
図５は本発明に係る把手を取り付けた開き襖を示す正面図、図６は同じく把手の取付状態を示す拡大側断面図、図７はワッシャーを示す正面一部断面図、図８はキャップを示す正面一部断面図である。図９は本発明に係る把手のバリエーションを示す図、図１０は本発明に係る把手のバリエーションを示す図である。図１１は従来の矩形状の引き手を示す図、図１２は従来の円形状の引き手を示す図、図１３は従来の把手を示す図である。
【００１１】
本発明に係る建具金物である把手１は、主に和室等に用いられる引き襖に設けられる引き手と違和感なく、さらに、引き襖と開き襖が一室に混在してもまとまりがあり落ち着きを醸し出すことのできる開き襖に備える把手１であり、そして、開き襖の開閉操作がし易い把手１の構造であり、さらに、日本古来の伝統的な和室のみならず近代的な設計の空間にも調和することが可能であることを特徴としているなお、本実施例においては本発明に係る把手１を備えるものとして、図７で示す如く、開き襖１７を採用しているが、これに限定される物でなく、洋風・和風に関わらず広く開き戸に適合させることができる。
【００１２】
本実施例に係る把手１の全体的な構造としては、図１乃至図４に示す如く、正面視において略矩形状であることを特徴としている。正確には、平面視略矩形状であって、その一辺は略円弧状に切り欠かれている。略矩形状に形成された引き手にコーディネートできるように把手１も正面視において略矩形状となるようにしているのである。前記把手１は、主に開き襖１７の表面に接する座板部２と、手を引っかける部分である把手部３、把手１を扉に取り付けるための取付部４とで一体的に構成している。
【００１３】
座板部２の把手部３の位置しない周囲の三辺は幾分高く盛り上がってリブ１１が形成されている。そして、リブ１１と把手部３との間に僅かに窪んだ溝１２を形成している。座板部２のリブ１１の角は全て面取りされ丸められていて、引っ掛かりの無いようにしている。なお、溝１２の部分は他の部分と異なるエンボス加工が為されていて、他の部分と異なる質感を醸し出して意匠性を向上している。
【００１４】
把手部３は正面視において前記座板部２のリブ１１の内側に内接する円弧状であって、該円弧の弦に相当する部分は内側へ入り込む円弧状とし、全体的に丸みを帯びている。また、把手部３は部分球状であって座板部２よりも前方へ突出し、該部分球の内部を刳るようにして、手の指を挿入するための挿入穴１３を形成している。挿入穴１３の上下幅は大人の手で三本の指が挿入できるような大きさとしている。
【００１５】
前記挿入穴１３は内面が全て球面の連続によって形成されていて、該挿入穴１３の内部に角が無いようにしている。従って、指を挿入穴１３に挿入したときに指に角が当接することが無く、安全である。さらに、正面視において把手部３全部と前記座板部２の一部は重複していて、すなわち、挿入穴１３の開き襖１７側には座板部２が存在し、挿入穴１３に手を入れて開閉操作するときに開き襖１７の表面に張設された襖紙に直接手が接触しないようにして、襖紙が汚れることのないようにしている。
【００１６】
そして、把手部３は手の挿入穴１３の開口部１３ａに向かうほど肉厚を十分な強度が保持できる程度に薄くして開口部１３ａを大きくしている。また、把手部３と正面視において重複する部分の座板部２も挿入穴１３の開口部１３ａに向かうほど肉厚が薄くなるようにしている。すなわち、挿入穴１３の開口部１３ａは手を挿入しやすいように該挿入穴１３のその他の部分より大きく構成されて、挿入穴１３の奥部は開口部１３ａより小さくなっている。
【００１７】
上述の如く構成された把手部３の挿入穴１３に三本の指を挿入し、開き襖１７を引いたり押したりして開き襖１７の開閉操作を行うが、このとき通常操作では、挿入穴１３に入れる三本の指は人差し指、中指及び薬指であり、これらの指を挿入穴１３に挿入すると自然と親指で把手部３の外表面を押さえることができ、すなわち、把手１の把手部３を掴む状態となり、開き襖１７の開閉操作を安定させることができるように構成している。
【００１８】
取付部４は座板部２の背面側から該座板部２に対して垂直方向に突出した複数の円柱状のであり、該突出体１４・１４の内部には雌螺子１４ａ・１４ａが切られている。取付部４は把手１の背面側に設けられており、正面に露出せず美観を向上している。なお、本実施例において突出体１４・１４は正面視において把手部３と重複する位置であって座板部２の背面側に二本設けているが、これに限定されるものではなく、例えば、突出体１４・１４を三本や四本とすることもできる。また、突出体１４・１４の位置も、例えば、座板部２の四隅に設けることもできる。さらに、本実施例においては、把手１の座板部２と把手部３を一体的に形成し、この背面に取付部４を固定した形状としているが、座板部２、把手部３及び取付部４を一体的に成形してもよい。
【００１９】
次に、上述の把手１の開き襖１７への取付方法について説明する。図５では、本発明に係る把手１を和室等の和風空間に形成された押入等の収納空間の開口部に設けられた左右両面開き襖１７に取り付けている。この場合、前記把手１・１は左右の開き襖１７・１７に夫々設けられて、これらは左右両面開き襖１９の左右略中央に対し対称となるようにしている。
【００２０】
図６に示す如く、把手１を取り付ける開き襖１７には、把手１の取付部４に設けられた突出体１４・１４と対応する位置に取付孔１９・１９を穿設する。本実施例においては一の把手１につき二の取付孔１９・１９を穿設している。開き襖１７の表面１７ａ側から、該開き襖１７に設けられた取付孔１９・１９に把手１の取付部４に設けられた突出体１４・１４を挿入し、開き襖１７の裏面１７ｂ側からボルト２０・２０を該突出体１４・１４に螺入する。なお、ボルト２０・２０と開き襖１７の間には図７に示す形状のワッシャー２１・２１を介入している。そして、ワッシャー２１・２１とボルト２０・２０の頭に、図８に示す形状のキャップ２２・２２を被せる。該キャップ２２・２２によりボルト２０・２０に引っかかり難いようにすると共に美観を向上している。
【００２１】
上述の如く把手１を取り付けたので、開き襖１７の表面１７ａに張設された襖紙２３等を張り替えるときには、簡易に把手１を取り外すことができると共に、把手１の着脱を繰り返しても、開き襖１７、開き戸や扉等に直接把手１を螺設しないので、襖、戸や扉等に把手１を螺設するときに発生する螺孔が次第に大きくなったりする事態が発生しない。
【００２２】
上述の如く構成され、また、開き襖１７等に取り付けられた把手１は、全体的に矩形とも円形とも感じ取ることのできるデザインとされており、該把手１が配置されるのと同一の空間に設けられる引き手の形状が一般的な矩形状や円形状の何れであっても、引き手と把手１に統一感を持たせることができて、その空間に引き襖と開き襖１７（引き戸と開き戸）が混在してもこれらを調和させることが容易となる。従って、和室一室内での引き手や把手１等の建具金物が空間コーディネートの構成部材として違和感がなく、統一性の取れたものとして役目を果たすことができる。さらに、前記引き手と把手１を同一の素材で構成すると統一感を増長させることができて、より調和させ易くなる。
【００２３】
上述の構成の把手１は、以下に示すように、該把手１の設けられるのと同一の空間に設けられた引き手の形状によって、幾分形状を変化させることができる。上述の構成の把手１を基本型とし、該基本型のものと比較しながら、以下に把手１のバリエーションを示す。図９で示す把手１ａは前記基本型の把手１と比べて全体的に上下にやや長尺としている。この場合、同一の部屋に設けられる引き手が長方形であると、同一の部屋に設けられる引き手と把手１ａの形状が相似して、引き手と把手１ａに統一感を持たせることができる。また、図１０で示す把手１ｂは前記基本型の把手１と比べて左右にやや長尺としている。この場合、同一の部屋に設けられる引き手が丸形であると、同一の部屋に設けられる引き手と把手１ｂの形状が相似して、引き手と把手１ｂに統一感を持たせることができる。
【００２４】
【発明の効果】
本発明は、以上のように構成したので、以下に示すような効果を奏する。
【００２５】
請求項１に示す如く、開き襖の把手として利用される建具金物であって、該把手は、平面視略矩形状の座板部と、該座板部より前方へ突出した部分球状の把手部とを具備し、該把手部は座板部よりも前方へ突出し、部分球状の内部を側部方向から刳った形状として、手の指を挿入する為の挿入穴を形成し、該把手部は、挿入穴の開口部に向かうほど肉厚を薄くし、該把手部と正面視において重複する部分の座板部も、挿入穴の開口部に向かうほど肉厚を薄くし、該挿入穴は、開口部に対して奥部は小さくなるように構成し、該挿入穴の上下幅は大人の手で三本の指が挿入できるような大きさとし、該挿入穴に三本の指を挿入し、該挿入穴に入れる三本の指は人差し指、中指及び薬指であり、これらの指を挿入穴に挿入して、親指で把手部の外表面を押さえて、把手部を掴む状態としたので、同一空間に引き襖と開き襖（引き戸と開き戸）が混在しても、これらに備えられる引き手と把手の統一感を出しやすく、また、引き手が矩形状又は円形状の何れであっても対応することができる。
【００２６】
また、前記把手部を側部方向から刳った形状に手の挿入穴を形成したので、該挿入穴に人差し指、中指及び薬指を挿入すると自然と親指が把手の外表面に位置し、把手部を握った状態となるので開閉操作が安定する。
【００２７】
請求項２に示す如く、前記座板部の背面に、内部に雌螺子を形成した突出体を設け、該突出体は座板部の背面側から垂直方向に突出した複数の円柱状とし、該突出体の内部には雌螺子を切り、該把手を取り付ける開き襖には、突出体に対応する位置に、開き襖の表面側から取付孔を穿設し、該取付孔に突出体を挿入し、開き襖の裏面側からボルトを螺入し、固定するので、把手を戸や襖に取り付けるときに簡易に螺設することができる。
【００２８】
請求項３に示す如く、前記把手部と座板部とを一体的に成形したので、意匠性が向上すると共に、把手全体を矩形状とも円形状とも感じ取ることができ、同一空間に設けられる引き手とコーディネートし易くなり、その幅が拡がるのである。
【図面の簡単な説明】
【図１】  本発明に係る把手の全体的な構成を示した正面図。
【図２】  同じく図１におけるＸ−Ｘ矢視断面図。
【図３】  同じく右側面図。
【図４】  同じく斜視図。
【図５】  本発明に係る把手を取り付けた開き襖を示す正面図。
【図６】  同じく把手の取付状態を示す拡大側断面図。
【図７】  ワッシャーを示す正面一部断面図。
【図８】  キャップを示す正面一部断面図。
【図９】  本発明に係る把手のバリエーションを示す図。
【図１０】  本発明に係る把手のバリエーションを示す図。
【図１１】  従来の矩形状の引き手を示す図。
【図１２】  従来の円形状の引き手を示す図。
【図１３】  従来の把手を示す図。
【符号の説明】
１  把手（建具金物）
２  座板部
３  把手部
４  取付部
１３  挿入穴
１４  突出体
【図１】
0004071945.tif 000002
【図２】
0004071945.tif 000003
【図３】
0004071945.tif 000004
【図４】
0004071945.tif 000005
【図５】
0004071945.tif 000006
【図６】
0004071945.tif 000007
【図７】
0004071945.tif 000008
【図８】
0004071945.tif 000009
【図９】
0004071945.tif 000010
【図１０】
0004071945.tif 000011
【図１１】
0004071945.tif 000012
【図１２】
0004071945.tif 000013
【図１３】
0004071945.tif 000014